(57)【要約】      （修正有）【課題】旅行中にシェービングブラシを移送することは、多くの問題を提起し得る。たとえば、シェービングブラシの毛が損傷しないようにする、また、移送中および使用後にシェービングブラシの衛生状態を確保する。【解決手段】シェービングブラシホルダーの内部体積がシェービングブラシを可逆的に保持するように適合され、前記支持構成では、前記シェービングブラシホルダーは、前記シェービングブラシを可逆的に固定するように適合される。【選択図】図１
2018029965.tif 000002
【特許請求の範囲】
【請求項１】
シェービングブラシ及びシェービングブラシホルダーを有するモジュール式のシェービングシステムであって、前記システムは、シェービングブラシ移送構成及びシェービングブラシ支持構成を可逆的に取るように適合され、前記移送構成では、前記シェービングブラシホルダーの内部体積がシェービングブラシを可逆的に保持するように適合され、前記支持構成では、前記シェービングブラシホルダーは、前記シェービングブラシを可逆的に固定するように適合されるシェービングシステム。
【請求項２】
前記システムが前記シェービングブラシ支持構成にあるときは、前記シェービングブラシが磁気を用いて前記シェービングブラシホルダーに固定される、請求項１のシステム。
【請求項３】
前記シェービングブラシホルダーは、前記システムが前記移送構成にあるときに前記シェービングブラシを収容するのに適合した内部体積を形成するように可逆的に相互に固定可能なように適合された少なくとも第１部分と第２部分を有する、請求項１又は２のシステム。
【請求項４】
前記第１の部分及び前記第２の部分は、磁気を用いて互いに可逆的に固定可能なように適合されている、請求項３のシステム。
【請求項５】
前記第１の部分及び前記第２の部分は、前記移送構成において正弦波形状の界面を有する、請求項４のシステム。
【請求項６】
前記第１の部分及び前記第２の部分はそれぞれ、それらの正弦曲線状の界面に磁石を有する、請求項５のシステム。
【請求項７】
前記シェービングブラシは、前記支持構成において、前記第１の部分又は第２の部分の前記正弦波界面に可逆的に固定可能なように構成されるよう適合された、請求項５又は６のシステム。
【請求項８】
前記システムが前記支持構成にあるときに、前記第１の部分が、磁気を用いて可逆的に前記シェービングブラシを保持するよう適合されている、請求項３〜７のいずれかのシステム。
【請求項９】
前記シェービングブラシが磁石を有する、請求項１〜８のいずれかのシステム。
【請求項１０】
前記シェービングブラシが握り部と毛部を有する、請求項１〜９のいずれかのシステム。
【請求項１１】
前記シェービングブラシの前記握り部が磁石を有する、請求項１〜１０のいずれかのシステム。
【請求項１２】
前記シェービングブラシの前記磁石が、前記シェービングブラシホルダーの垂直軸に実質的に水平に前記シェービングブラシを保持するよう適合されている、請求項１１のシステム。
【請求項１３】
前記第１の部分は、実質的に円筒形状である、請求項３〜１２のいずれかのシステム。
【請求項１４】
前記第２の部分は、可逆的に取り外し可能なキャップを有する、請求項３〜１３のいずれかのシステム。
【請求項１５】
前記第２の部分は、実質的に円錐台形状である、請求項３〜１４のいずれかのシステム。
【請求項１６】
前記第２の部分は、前記システムが前記支持構成のときに、かみそりを可逆的に保持するよう適合されている、請求項３〜１５のいずれかのシステム。
【請求項１７】
前記第１の部分及び前記第２の部分は、前記移送構成のときに舌と溝の構造を有する、請求項３〜１６のいずれかのシステム。
【請求項１８】
前記シェービングブラシホルダーは、アルミニウム製である、請求項１〜１７のいずれかのシステム。
【請求項１９】
請求項１〜１８のいずれかのシステムを製造する方法。
【請求項２０】
請求項１〜１８のいずれかのシステムとかみそりを有するキット。
【発明の詳細な説明】
【技術分野】
【０００１】
本発明は、シェービングの分野に関する。より詳細には、本発明は、シェービングブラシの移送構成およびシェービングブラシの支持構成を可逆に採用するように適合したモジュール式シェービングシステムに関する。
【背景技術】
【０００２】
多くの人々は、シェービングの前に、シェービングフォームまたはゲルを適用するためにシェービングブラシを使用する。旅行中にシェービングブラシを移送することは、多くの問題を提起し得る。たとえば、シェービングブラシの毛が損傷しないようにすることが重要である。しかし、多くの様々なトイレタリーおよびグルーミング製品と一緒に洗面具入れや他の容器にシェービングブラシが詰め込まれることが多く、これにより毛が曲がったり変形したりすることがある。
【０００３】
別の問題は、移送中および使用後にシェービングブラシの衛生状態を確保することである。ブラシが不適切に乾燥された場合、微生物の増殖を引き起こす可能性がある。したがって、使用後及び移送前にブラシが適切に乾燥していることを確認することが重要である。
【０００４】
さらに別の問題は、現状では、旅行中にシェービングに必要なアイテムを１つの場所で容易に利用できるようにする手段がないことである。
【０００５】
旅行や不慣れな環境では、これらのニーズは重要である。ブラシは安全に移送できるだけでなく、使用後及び詰め込みの前に乾燥されるべきである。したがって、これらのニーズを満たすシステムが必要である。
【発明の開示】
【発明が解決しようとする課題】
【０００６】
本発明の目的は、上記のような問題を解消しようとする装置を提供することである。
【課題を解決するための手段】
【０００７】
本発明の第１の態様によれば、シェービングブラシ及びシェービングブラシホルダーを有するモジュール式のシェービングシステムであって、前記システムは、シェービングブラシ移送構成及びシェービングブラシ支持構成を可逆的に取るように適合され、前記移送構成では、前記シェービングブラシホルダーの内部体積がシェービングブラシを可逆的に保持するように適合され、前記支持構成では、前記シェービングブラシホルダーは、前記シェービングブラシを可逆的に固定するように適合されるシェービングシステムが提供される。有利には、モジュール式のシステムは、シェービング中及びシェービング後の両方で前記シェービングブラシを移送し、前記シェービングブラシを支持してブラシが適切に乾燥することを確実にするための手段を提供する。前記移送構成のときは、毛の先端が前記シェービングブラシホルダーの垂直軸に実質的に垂直になるように毛の先端が向けられ、前記支持構成では、前記ブラシの毛の先端が、前記シェービングブラシホルダーの垂直軸に実質的に水平方向に向けられる。
【０００８】
支持という用語は、シェービングブラシの使用中及び／又はその乾燥プロセスの間、シェービングを固定する任意の手段を意味する。この用語はスタンド、台座、脚、プラットフォーム、フック、またはシェービングブラシが固定される任意の面を意味し得る。
【０００９】
前記システムが前記シェービングブラシ支持構成にあるときは、前記シェービングブラシが磁気を用いて前記シェービングブラシホルダーに固定されることが好ましい。シェービングブラシをシェービングブラシホルダーに固定するのに磁石を使用することは、使用容易で、信頼性があり、複雑な固定手段を必要としない便利な機構である。
【００１０】
前記シェービングブラシホルダーは、前記システムが前記移送構成にあるときに前記シェービングブラシを収容するのに適合した内部体積を形成するように可逆的に相互に固定可能なように適合された少なくとも第１部分と第２部分を有することが好ましい。
【００１１】
前記第１の部分及び前記第２の部分は、磁気を用いて互いに可逆的に固定可能なように適合されていることが好ましい。上記のように、磁石を使用することは、使用容易で、信頼性があり、複雑な固定手段を必要としない便利な機構を提供する。
【００１２】
前記第１の部分及び前記第２の部分は、前記移送構成において正弦波形状の界面を有することが好ましい。
【００１３】
前記第１の部分及び前記第２の部分はそれぞれ、それらの正弦曲線状の界面に磁石を有することが好ましい。
【００１４】
前記シェービングブラシは、前記支持構成において、前記第１の部分又は第２の部分の前記正弦波界面に可逆的に固定可能なように構成されるよう適合されていることが好ましい。シェービングブラシは、前記第１の部分の前記正弦波界面に合致する形状にすることができ、シェービングブラシがこの形状により形成される湾曲に収まって、それにより前記正弦波界面に前記シェービングブラシがぴったりと載置されるようにすることができる。１実施形態では、前記ブラシは、実質的に円筒状又は円錐台状の形状であり得る。他の実施形態では、前記ブラシは、先細りの表面を有し得る。更なる実施形態では、前記ブラシは、湾曲表面を有し得る。
【００１５】
前記システムが前記支持構成にあるときに、前記第１の部分が、磁気を用いて可逆的に前記シェービングブラシを保持するよう適合されていることが好ましい。
【００１６】
前記シェービングブラシが磁石を有することが好ましい。
【００１７】
前記シェービングブラシが握り部と毛部を有することが好ましい。
【００１８】
前記シェービングブラシの握り部が磁石を有することが好ましい。
【００１９】
前記シェービングブラシの前記磁石が、前記シェービングブラシホルダーの垂直軸に実質的に水平に前記シェービングブラシを保持するよう適合されていることが好ましい。シェービングブラシを実質に水平軸に固定することは、シェービングブラシを乾燥するのに有利である。
【００２０】
前記第１の部分は、実質的に円筒形状が好ましい。
【００２１】
前記第２の部分は、可逆的に取り外し可能なキャップを有するのが好ましい。
【００２２】
前記第２の部分は、実質的に円錐台形状が好ましい。
【００２３】
前記第２の部分は、前記システムが前記支持構成のときに、かみそりを可逆的に保持するよう適合されていることが好ましい。これは、かみそりのための保管スペーサーを提供し、シェービングに必要なすべての要素が一緒に保持できるので、有利である。
【００２４】
前記第１の部分及び前記第２の部分は、前記移送構成のときに舌と溝の構造を有することが好ましい。
【００２５】
前記シェービングブラシホルダーは、アルミニウム製であることが好ましい。アルミニウムは、軽い金属でシステムの重量を減少させる。前記システムの前記シェービングブラシ及び磁石は、鉄鋼（フェロ金属）で形成し得る。代替実施形態では、シェービングブラシホルダー及びシェービングブラシは、鉄鋼で形成し得る。
【００２６】
本発明の第２の態様では、本発明の第１の態様のシステムを製造する方法が提供される。
【００２７】
本発明の第３の態様では、本発明の第１の態様のシステム及びかみそりを有するキットが提供される。
【００２８】
以下、本発明を添付図面に参照しつつ例を用いて説明する。
【図面の簡単な説明】
【００２９】
【図１】図１は、本発明の装置の斜視図である。
【図２】図２は、シェービングブラシ移送構成にある本発明の装置の斜視図である。
【図３】図３は、シェービングブラシ移送構成でのシェービングブラシとシェービングブラシホルダーの第１の部分を示す本発明の装置の斜視図である。
【図４】図４は、シェービングブラシ支持構成にあるシェービングブラシホルダーの第２の部分を示す本発明の装置の斜視図である。
【発明を実施するための形態】
【００３０】
図１は、シェービングブラシ２及びシェービングブラシホルダー３を含むモジュール式シェービングシステム１を示し、当該システム１は、シェービングブラシ移送構成及びシェービングブラシ支持構成を可逆的に取るように適合されており、移送構成では、シェービングブラシホルダー３の内部体積は、シェービングブラシ２を可逆的に保持するように適合され、前記支持構成では、シェービングブラシホルダー３は、シェービングブラシ２を可逆的に固定するように適合される。
【００３１】
図１の実施形態では、シェービングブラシホルダー３は、第１の部分４と第２の部分５を有する。図１の実施形態は、シェービングブラシホルダー３の蓋６を有する。第１の部分の正弦波状界面７及び第２の部分の正弦波状界面８もまた図１に示されている。旅行時には、シェービングブラシ２は、第１の部分４の内部体積の中に配置され、第２の部分５は、第１及び第２の部分の正弦波状界面７，８の磁石により第１の部分に固定される。第２の部分５は、実質的に円錐台形状であり、広口端及び狭口端の両方で開口している。この実施形態では、第１の部分４及び第２の部分５は、舌１０と溝１１の構造を有し、第２の部分は、突出する舌１０を有し、当該舌１０が第１の部分４の溝１１にはまり込む。これにより、第１の部分４と第２の部分５をより良く固定できる。蓋６を第２の部分５の最広口端に配置すると、シェービングブラシ２をシェービングブラシホルダー３の中に封止できる。蓋６は、摩擦や蓋６及び第２の部分の広口端に配置された磁石を用いて第２の部分に結合され得る。
【００３２】
図２は、シェービングブラシ移送構成にあるシステムを示す。シェービングブラシ２は、シェービングブラシホルダー３内に収容されている。図２は、第１及び第２の部分の正弦波状界面７，８により第１の部分４が第２の部分５に結合していることを示す。第１の部分の正弦波状界面７と第２の部分の正弦波状界面８は、これらが磁気で結合するように、磁石を有し得る。蓋６は、第２の部分５に取り付けられる。蓋６は、摩擦あるいは蓋６及び第２の部分５に配置された磁石を用いて第２の部分に結合され得る。シェービングブラシ移送構成のシステムは、移送中にシェービングブラシ２を保護する。
【００３３】
図３，４は、シェービングブラシ支持構成にあるシェービングブラシ２を示す。図３では、シェービングブラシ２は、第１の部分４の上に保持され、シェービングブラシ２は、第１の部分の正弦波状界面にぴったり載置できるよう構成されている。シェービングブラシ２は、第１の部分４に磁気で保持され、シェービングブラシ２及び第１の部分４は、それぞれ、これらを一緒に保持するための組み込まれた磁石を有する。シェービングブラシ２は、第１の部分４の垂直軸に実質的に水平の角度で第１の部分に保持される。
【００３４】
図４は、かみそり９のための収納具として使用される第２の部分を示す。この構成では、蓋６が台となり、正弦波界面８を有する第２の部分５の狭口開口が、アイテム（例えばかみそり）を収納するよう適合された開口となる。しかし、収納されるアイテムが異なる他の実施形態も考え得る。例えば、シェービングクリームやジェルの缶や他の容器が、シェービングブラシ支持構成の第２の部分５に収容され得る。
【図１】
2018029965.tif 000003
【図２】
2018029965.tif 000004
【図３】
2018029965.tif 000005
【図４】
2018029965.tif 000006
【外国語明細書】
2018029965000001.pdf